(57)【要約】【課題】  使用者の足元を快適にしつつ、脚入れ空間内の良好な空気の循環状態を得ることができ、周辺環境に与える影響を少なくすること。【解決手段】  脚入れ空間１６の後側に位置する送風装置２２と、この送風装置２２の前方に繋がって、引き出し１４の底板１４Ａに沿って延びるダクト２３とによって送風ユニット２０が構成されている。ダクト２３は、底板１４Ａに添設される頂壁２８と、この頂壁２８の左右両端側に配置される側壁２９，２９と、これら側壁２９，２９の下端間に配置される底壁３１と、前端側に配置された吹出調整部材３２とを備えて構成されている。底壁３１には、送風装置２２からの空気を下方に吹き出し可能な下向吹出口３７が設けられている。また、頂壁２８、側壁２９及び底壁３１の各前端縁間には、正面視で略方形状の正面吹出口４４が形成され、当該正面吹出口４４を通じてダクト２３内の空気が前方に吹き出し可能になっている。【選択図】          図２
2005261609.tif 000002
【特許請求の範囲】
【請求項１】
正面側が開放して着座状態の使用者の脚を収容可能な脚入れ空間を備えた作業台に取り付けられる送風ユニットにおいて、
前記脚入れ空間内に吸気口が位置する送風装置と、当該送風装置の送気口に繋がるとともに、前記脚入れ空間内の上側に配置されるダクトとを備え、
前記ダクトには、前記送風装置からの空気を下方に吹き出し可能な下向吹出口が設けられていることを特徴とする送風ユニット。
【請求項２】
前記ダクトには、前記送風装置からの空気を前方に吹き出し可能な正面吹出口が設けられていることを特徴とする請求項１記載の送風ユニット。
【請求項３】
前記ダクトの底部は、後方に向かって次第に下がる傾斜面状に形成されていることを特徴とする請求項１又は２記載の送風ユニット。
【請求項４】
前記作業台の一部に着脱自在に取り付け可能となる取り付け部が設けられていることを特徴とする請求項１、２又は３記載の送風ユニット。
【請求項５】
正面側が開放して着座状態の使用者の脚を収容可能な脚入れ空間を備えた机において、
前記脚入れ空間内に配置された送風ユニットを備え、
前記送風ユニットは、前記脚入れ空間内に吸気口が位置する送風装置と、当該送風装置の送気口に繋がるとともに、前記脚入れ空間内の上側に配置されるダクトとを備え、
前記ダクトには、前記送風装置からの空気を下方に向かって吹き出し可能な下向吹出口が形成されていることを特徴とする机。
【発明の詳細な説明】
【技術分野】
【０００１】
本発明は送風ユニット及び机に係り、更に詳しくは、使用者の足元を快適にする送風ユニット及び机に関する。
【背景技術】
【０００２】
従来、使用者の足元の快適性を高める空調機能を有する机が知られている（特許文献１参照）。この机は、背板の外側に設けられた送風装置と、当該送風装置の吹出口に繋がる通風路が形成された天板とを備えている。この天板の下面側には、前記通風路からの風を使用者の足元に向かって吹き出し可能な複数の細孔が形成されている。また、前記送風装置の吸気口は、背板の後方外側に開放するようになっている。
【０００３】
また、机板（天板）の左右両側及び後側を囲むパーティションに空調ユニットを設けた空調システムが知られている（特許文献２参照）。このシステムにおいては、前記机板の下方に形成された脚入れ空間に、机板の後方の背部パーティションに設けられた吹出口から前方に冷温風が吹き出されるようになっている。ここで、前記空調ユニットの吸込口は、前記背部パーティションに設けられ、机板の上方となる高さ位置で前方に開放している。
【特許文献１】特開平５−５６８１５号公報
【特許文献２】特開平６−３２３６００号公報
【発明の開示】
【発明が解決しようとする課題】
【０００４】
しかしながら、前記特許文献１の机にあっては、前記吸気口が机の背板側で開放するようになっているため、机が壁に沿ってぴったり設置されるような場合には、吸気口が壁によって閉塞されてしまい、送風装置に対する吸気不良を招来する。また、一般のオフィスでの使用態様に見られるように、二つの机を背中合わせにした状態で設置する場合にあっては、各背板の下端側に、双方の脚入れ空間を連通させる隙間が形成されることが多く、一方の机の送風装置は、その吸気口が他方の机の脚入れ空間側に開放することになるから、当該他方の机の使用者は、一方の机の送風装置の作動によって意図しない不快な「スースー」感を受けることになる。更に、天板の下面側の細孔から吹き出された冷温風は、脚入れ空間の前方の開放部分から外側に逃げ易く、省エネ等に寄与する脚入れ空間内の良好な空気の循環状態を得ることができない。
【０００５】
一方、前記特許文献２のシステムにあっては、前記脚入れ空間内で冷温風が後側から前方に水平方向に吹き出されることになるため、冷温風が前方の開放部分から吹き出され易く、前記特許文献１の机の場合と同様、脚入れ空間内の良好な空気の循環状態を得ることができない。
【０００６】
本発明は、このような不都合に着目して案出されたものであり、その目的は、使用者の足元を快適にしつつ、脚入れ空間内の良好な空気の循環状態を得ることができ、周辺環境に与える影響を少なくすることができる送風ユニット及び机を提供することにある。
【課題を解決するための手段】
【０００７】
（１）前記目的を達成するため、本発明は、正面側が開放して着座状態の使用者の脚を収容可能な脚入れ空間を備えた作業台に取り付けられる送風ユニットにおいて、
前記脚入れ空間内に吸気口が位置する送風装置と、当該送風装置の送気口に繋がるとともに、前記脚入れ空間内の上側に配置されるダクトとを備え、
前記ダクトには、前記送風装置からの空気を下方に吹き出し可能な下向吹出口が設けられる、という構成を採っている。
【０００８】
（２）また、前記ダクトには、前記送風装置からの空気を前方に吹き出し可能な正面吹出口が設けられる、という構成を採ることが好ましい。
【０００９】
（３）更に、前記ダクトの底部は、後方に向かって次第に下がる傾斜面状に形成される、という構成を併せて採用することができる。
【００１０】
（４）また、前記作業台の一部に着脱自在に取り付け可能となる取り付け部を設けるとよい。
【００１１】
（５）更に、本発明は、正面側が開放して着座状態の使用者の脚を収容可能な脚入れ空間を備えた机において、
前記脚入れ空間内に配置された送風ユニットを備え、
前記送風ユニットは、前記脚入れ空間内に吸気口が位置する送風装置と、当該送風装置の送気口に繋がるとともに、前記脚入れ空間内の上側に配置されるダクトとを備え、
前記ダクトには、前記送風装置からの空気を下方に向かって吹き出し可能な下向吹出口が形成される、という構成を採っている。
【００１２】
なお、本明細書において、「作業台」とは、机、洗面化粧台、キッチン等、使用者が着座した状態で使用可能な構造の台全般を総称した概念として用いる。
【発明の効果】
【００１３】
前記（１）、（５）の構成によれば、脚入れ空間内に送風装置の吸気口が配置されているため、ダクトの下向吹出口から吹き出された空気は、脚入れ空間内を下方に流れ、脚入れ空間内の吸気口に入ることになる。このため、下向吹出口からの空気の吹き出しによって使用者の足元を快適にできるばかりか、脚入れ空間内の良好な空気の循環状態を得ることができる。従って、下向吹出口から吹き出された空気が脚入れ空間の外側に流出することが少なくなって、送風装置からの空気が電気エネルギ等によって冷温風化されても、当該冷温風を脚入れ空間内で循環させることができ、良好な省エネ効果をもたらすことが期待できる。また、脚入れ空間内に送風装置の吸気口が配置されているため、脚入れ空間内での空気の対流が促進され、背中合わせに机を設置しても、他の机の脚入れ空間内への影響が少なく、周辺環境に与える空気の流れの影響を少なくすることができる。
【００１４】
前記（２）のように構成することで、正面吹出口から吹き出された空気は、使用者の腹部に当たって、上半身方向及び下半身方向に流れ、使用者の全身に冷温風を適宜当てることができ、使用者の快適化を一層促進することができる。
【００１５】
前記（３）の構成によれば、使用者の大腿が位置する脚入れ空間内の前側をスリム化することができる一方、デッドスペースとなる後側に送風装置等の大型機器を配置することができる。
【００１６】
前記（４）の構成により、種々の作業台に送風ユニットを適宜着脱することが可能になり、送風ユニットの汎用性を高めることができる。
【発明を実施するための最良の形態】
【００１７】
以下、本発明の実施例について図面を参照しながら説明する。
【実施例】
【００１８】
図１には、本発明の送風ユニットが取り付けられた作業台としての机の概略正面図が示されており、図２には、図１のＡ−Ａ線に沿う拡大断面図が示されている。これらの図において、机１０は、特に限定されるものではないが、天板１１と、天板１１の左右両端側に配置された側板１２，１２と、これら側板１２，１２の後端間に配置された背板１３と、天板１１の下面側に取り付けられ、前後方向にスライド可能な引き出し１４とを備えて構成されている。ここで、前記各部材１１〜１４に囲まれた内側部分は、正面側が開放して着座状態の使用者Ｍ（図２参照）の脚を収容可能な脚入れ空間１６となっている。
【００１９】
前記引き出し１４には、その底板１４Ａの下面側に、脚入れ空間１６に送気可能な送風ユニット２０が着脱自在に取り付けられており、引き出し１４の収納時には、送風ユニット２０が脚入れ空間１６内の上側に配置されることになる。
【００２０】
前記送風ユニット２０は、図２及び図３に示されるように、後側に位置する送風装置２２と、この送風装置２２の前方に繋がって、引き出し１４の底板１４Ａに沿って延びるダクト２３とによって構成されている。
【００２１】
前記送風装置２２としては、特に限定されるものではないが、公知のクロスフローファンが用いられ、下端側に設けられて脚入れ空間１６内に位置する吸気口２５から空気を吸い込み、前端側に設けられた送気口２６からダクト２３内に空気が吹き出されるようになっている。なお、送風装置２２は、１００Ｖの商用電源に電気的に直接接続されて作動する構造の他、ＵＳＢデバイスによりパーソナルコンピュータとの間で連結し、当該パーソナルコンピュータから電気供給を受けられるようにしてもよいし、電池等を内蔵した構造にしてもよい。すなわち、送風装置２２としては、脚入れ空間１６内の空気を吸い込んでダクト２３内に吹き出せる限りにおいて種々の構造のものを採用することができる。また、送風装置２２として、冷風若しくは温風を吹き出し可能にするエアコン等の機能を有するものを採用してもよい。
【００２２】
前記ダクト２３は、前後両側が開放する中空の角筒状に設けられており、引き出し１４の底板１４Ａに添設される頂壁２８と、この頂壁２８の左右両端側に配置される側壁２９，２９と、これら側壁２９，２９の下端間に配置される底壁３１と、前端側に配置された吹出調整部材３２とを備えて構成されている。
【００２３】
前記頂壁２８は、平板状に設けられ、その左右両端側には取り付け部としてのビス穴３４が前後方向複数箇所に形成されている。当該ビス穴３４には、ねじ３５が挿通され、当該ねじ３５により、頂壁２８が前記底板１４Ａに取り付けられ、これによって、送風ユニット２０が机１０に取り付けられることになる。
【００２４】
前記側壁２９は、略台形状となる板材によって構成され、左右両端側のビス穴３４の内側からそれぞれ垂下している。ここで、側壁２９は、その下端縁が前部から後部に向かって下方に傾斜する向きで配置されている。
【００２５】
前記底壁３１は、平板状に設けられ、左右両側に位置する側壁２９，２９の下端縁間に掛け渡されている。これによって、ダクト２３の底部は、後方に向かって次第に下がる傾斜面状に形成されることになる。底壁３１の後寄りには、左右方向に延びるスロット穴状の下向吹出口３７が形成されている。この下向吹出口３７は、着座した使用者Ｍの脚が脚入れ空間１６内にあるときに、当該使用者Ｍの足元に略相対する位置に設けられており、ダクト２３内の空気を脚入れ空間１６内にある使用者Ｍの足元に向かって下方に吹き出し可能になっている。底壁３１の内面側には、下向吹出口３７よりも大きな平面積を有する遮風板３８が前後方向にスライド可能に添設されている。遮風板３８は、その左右両端側に、側壁２９，２９を貫通して外側にそれぞれ突出する操作摘み４０，４０を備えており、操作摘み４０の操作によって、下向吹出口３７を完全に遮蔽する位置と、下向吹出口３７を全開する位置との間で前後方向にスライドできるようになっている。従って、操作摘み４０の操作によって、下向吹出口３７の開口面積を任意に調整することができ、ダクト２３内から使用者Ｍの足元に吹き出される風量の調整が可能となる。なお、底壁３１の内面側にヒータ（図示省略）を取り付け、当該ヒータを作動させたときに、ダクト２３内の空気を温風化させるようにしてもよい。
【００２６】
前記下向吹出口３７の前端縁側には、底壁３１の上下両側で延びる風案内板４１，４２が設けられている。ダクト２３の外側に位置する風案内板４１は、略鉛直方向に延びる平面状に形成されている一方、ダクト２３の内側に位置する風案内板４２は、上方に向かって次第に後方に湾曲する曲面状に形成されている。すなわち、風案内板４１，４２は、送風装置２２側からの空気の一部を下向吹出口３７に案内し、当該下向吹出口３７から吹き出された空気を足元に向かって送れるように設計されている。
【００２７】
図４に示されるように、頂壁２８、側壁２９及び底壁３１の各前端縁間には、正面視で略方形状の正面吹出口４４が設けられ、当該正面吹出口４４を通じてダクト２３内の空気が前方に吹き出し可能になっている。
【００２８】
前記吹出調整部材３２は、正面吹出口４４の手前側に配置され、当該正面吹出口４４からの風量及び風向を調整できるようになっている。この吹出調整部材３２は、正面吹出口４４に相対的に配置される本体４６と、この本体４６の左右両端側からそれぞれ外向きに延びるとともに、各側壁２９，２９の前端部分に対して回転可能に貫通する軸部材４７，４７と、これら軸部材４７，４７の各外方端にそれぞれ固定された円柱状の操作摘み４８，４８とを備えて構成されている。
【００２９】
前記本体４６は、所定の中実の丸棒に対し、その左右両端側の部分を除く部分が断面半円状となるように半分除去した形状をなしている。すなわち、本体４６は、左右両端側に位置する円柱状部５０，５０と、これら円柱状部５０，５０の間に配置されて、断面半円状となる半円柱状部５１とからなる。ここで、円柱状部５０及び半円柱状部５１の半径は、図５（Ａ）に示されるように、正面吹出口４４の上下幅Ｗと略同一に設定されている。また、本体４６は、その外周部分が正面吹出口４４の上端縁４４Ａに略接するように配置されるとともに、その中心Ｃが正面吹出口４４の下端縁４４Ｂと略同一高さに配置されている。換言すれば、上端縁４４Ａは、下端縁４４Ｂよりも、円柱状部５０及び半円柱状部５１の半径分だけ前方に突出し、各端縁４４Ａ，４４Ｂに本体４６の外周部分が略接するようになっている。このような配置により、操作摘み４８を回転すると、本体４６が回転し、図５（Ａ）〜（Ｄ）に示されるように、正面吹出口４４からの風量及び風向を調整することができる。すなわち、図５（Ａ）に示されるように、半円柱状部５１が下側にあるときには、正面吹出口４４が全開してダクト２３内の空気が前方に吹き出される。そして、半円柱状部５１が、図５（Ｂ）の位置にあるときには、ダクト２３内の空気が前方斜め下向きに吹き出される。また、半円柱状部５１が、図５（Ｃ）の位置にあるときには、正面吹出口４４が全開して、ダクト２３内の空気が前方斜め上向きと後方斜め下向きとに分散されて吹き出される。更に、半円柱状部が、図５（Ｄ）の位置にあるときには、正面吹出口４４が完全に遮蔽され、ダクト２３内の空気の吹き出しが停止する。
【００３０】
以上の構成の送風ユニット２０を作動させると、図２に矢印で示されるように、脚入れ空間１６内の空気が、その後方の送風装置２２の下端側の吸気口２５から装置２２内に吸い込まれ、ダクト２３内を通って、各吹出口３７，４４から送風ユニット２０の外部に吹き出される。ここで、各吹出口３７，４４からの風量の配分等は、遮風板３８及び吹出調整部材３２の位置によって任意に設定される。特に、下向吹出口３７からの吹き出しによって、脚入れ空間１６内の空気は、下向吹出口３７から吸気口２５に向かって略Ｕ字状に対流し、脚入れ空間１６内を循環することとなる。また、正面吹出口４４からの空気は、吹出調整部材３２の半円柱状部５１の位置によって、着座状態の使用者Ｍの腹部から上半身側及び／又は下半身側に吹き出されることになる。
【００３１】
従って、このような実施例によれば、各吹出口３７，４４から使用者Ｍの脚や足元に効果的に送風することができ、夏季等の使用者Ｍの脚ムレの解消に寄与して、使用者Ｍの足元を快適にさせることができる。更に、脚入れ空間１６内の良好な空気の循環状況を産み出すことができ、周辺の環境に影響を及ぼさないプライベートな空調状態を得ることができる。また、ダクト２３の底部が後方に下がる傾斜面状となっているため、脚入れ空間１６内の使用者Ｍの大腿付近をすっきりした構成にすることができる。
【００３２】
また、前記実施例では、送風ユニット２０を机１０の引き出し１４の底板１４Ａに取り付けた例を図示説明したが、引き出し１４のない机１０に送風ユニット２０を取り付ける場合には、天板１１の下面側に直接取り付けてもよく、また、机１０以外の作業台、例えば、洗面化粧台、キッチン等に取り付ける態様としてもよい。
【００３３】
更に、送風ユニット２０の取り付け部としては、側壁２９，２９の外側に設けられ、引き出し１４のガイドレールに係合可能なスライダとしてもよい。この場合は、机１０に既設された引き出し１４を外して、その代わりに、送風ユニット２０を机１０に取り付けるような態様となる。
【００３４】
その他、本発明における装置各部の構成は図示構成例に限定されるものではなく、実質的に同様の作用を奏する限りにおいて、種々の変更が可能である。
【図面の簡単な説明】
【００３５】
【図１】本実施例に係る送風ユニットが取り付けられた机の概略正面図。
【図２】図１のＡ−Ａに沿う拡大断面図。
【図３】斜め下から見た送風ユニットの概略斜視図。
【図４】正面吹出口と吹出調整部材を示す拡大分解斜視図。
【図５】（Ａ）〜（Ｄ）は、吹出調整部材の作用を説明するための縦断面図である。
【符号の説明】
【００３６】
１０  机（作業台）
１６  脚入れ空間
２０  送風ユニット
２２  送風装置
２３  ダクト
２５  吸気口
２６  送気口
３４  ビス穴（取り付け部）
３７  下向吹出口
４４  正面吹出口
Ｍ  使用者
【図１】
2005261609.tif 000003
【図２】
2005261609.tif 000004
【図３】
2005261609.tif 000005
【図４】
2005261609.tif 000006
【図５】
2005261609.tif 000007